(57)【要約】      （修正有）【課題】地震時に揺れが発生しても容易に係合状態が解消しないこと。簡単に係合状態を解除することができること。【解決手段】ベース板１と該ベース板１に所要空間を有して上方に対向するカバー板２とを一体的に連結する連結支柱４と、ベース板１及びカバー板２に垂直状態に軸支された回動軸部材５と、この回動軸部材５と共に回動するように前記所要空間に水平状態に配設された係合片６と、前記回動軸部材５に中央部が巻装されていると共に、両端部側が前記ベース板１の係合爪片及び回動軸部材５のバネ押圧部に支持されている復帰バネと、ベース板１の一側に設けられた固定軸９に基端部が枢支されていると共に、係合爪部がベース板１の上面から突出する係合片用ロック片８と、このロック片８を係合方向に常時付勢することができるように前記固定軸に設けられた付勢バネ１０とを備えた箱体同士の連結具。【選択図】  図２
2004262534.tif 000002
【特許請求の範囲】
【請求項１】
ベース板と該ベース板に所要空間を有して上方に対向するカバー板とを一体的に連結する連結支柱と、ベース板及びカバー板に垂直状態に軸支された回動軸部材と、この回動軸部材と共に回動するように前記所要空間に水平状態に配設された係合片と、前記回動軸部材に中央部が巻装されていると共に、両端部側が前記ベース板の係合爪片及び回動軸部材のバネ押圧部に支持されている復帰バネと、ベース板の一側に設けられた固定軸に基端部が枢支されていると共に、係合爪部がベース板の上面から突出する係合片用ロック片と、このロック片を係合方向に常時付勢することができるように前記固定軸に設けられた付勢バネとを備えた箱体同士の連結具。
【請求項２】
請求項１に於いて、隣合わせ同士の箱体を連結する際に、前記回動軸部材を復帰バネのバネ力に抗して回動し、係合片を所定の連結位置まで回動すると、係合片の回動中に該係合片に一旦押し下げられていたロック片が付勢バネのバネ力により復帰して係合片の被係合部に係合し、一方、ロック片の係合爪部を指で押し下げて係合状態を解消すると、係合片は復帰バネのバネ力により初期位置へと戻ることを特徴とする箱体同士の連結具。
【請求項３】
請求項１に於いて、係合片は回動軸部材を基準にしてやや扇状に形成され、少なくともその一端部には、隣合わせ同士の箱体に設けられた連結具の連結支柱と係脱する被係合部が形成されていることを特徴とする箱体同士の連結具。
【請求項４】
請求項１に於いて、連結支柱は、連結具の隅角部に設けられ、隣合わせの箱体に取り付けられた同一連結具の係合片と係脱する係止ピンの機能を有することを特徴とする箱体同士の連結具。
【請求項５】
請求項１に於いて、回動軸部材は、ベース板の隅角部寄りの部位に垂直状態に設けられた軸本体と、ベース板を貫通したその下端部に固定的に設けられ、かつ、ベース板の下面に添設した復帰バネを支持するバネ受け板とから成ることを特徴とする箱体同士の連結具。
【請求項６】
請求項１に於いて、係合片用ロック片は、ベース板の一辺と、この一辺に直交する他辺にそれぞれ設けられた支持片を介して対称的に１対配設されており、一方、弧状の係合片には、前記１対のロック片とそれぞれ係脱する複数個の被係合窓が形成されていることを特徴とする箱体同士の連結具。
【請求項７】
請求項６に於いて、カバー板の少なくとも一辺には、ロック片押込み用の切欠部が形成されていることを特徴とする箱体同士の連結具。
【発明の詳細な説明】
【０００１】
【発明の属する技術分野】
本発明は、収納箱、整理箱、コンテナー等の箱体を隣合わせに設置した場合に於いて、箱体の天板に取付け、箱体同士を連結する連結具に関する。
【０００２】
【従来の技術】
従来の一例として、先に本発明者が提案した日本国の公開公報がある（特開２００２−２８４１６９号）。この公報には、次に構成から成る収納箱の連結構造が記載されている。
（１）収納箱の天板部材は、内側板と、この内側板に固定される外側板から成ること。
（２）天板部材の対角線上の隅角部に一対の係合ロック片がそれぞれ組み込まれていること。
（３）前記係合ロック片は、天板部材の二面接合部の近傍にそれぞれ形成された係合ロック片出入り用切欠部から内部空間を通過して突出可能であること。
（４）所要角度回転した係合ロックアームは、隣の収納箱の出入り用切欠部内へと入り込んで天板部材の角部に係合すること。
【０００３】
上記構成の実施例に関し、耐震試験をした結果、係合ロックアームは、回転方向へのずれに弱いことが判明した。そこで、現在、地震時に容易に係合状態が解消しない箱体同士の連結具の出現が要望されている。
【０００４】
【発明が解決しようとする課題】
本発明の第１の目的は、箱体の天板に固定することができること。また強靭であること。第２の目的は、隣合わせの箱体を簡単に連結することができること。第３の目的は、地震時に容易に係合状態が解消しないこと。第４の目的は、連結状態を解消する場合には、ワンタッチで連結解除（係合解除）できること。また係合片が元の位置へ自動的に復帰すること。第５の目的は、連結具のカバー板や回動軸部材に上方から強い力が作用しても、係合片用の復帰バネが極力影響を受けないようにすることである。
【０００５】
【課題を解決するための手段】
本発明の箱体同士の連結具は、ベース板と該ベース板に所要空間を有して上方に対向するカバー板とを一体的に連結する連結支柱と、ベース板及びカバー板に垂直状態に軸支された回動軸部材と、この回動軸部材と共に回動するように前記所要空間に水平状態に配設された係合片と、前記回動軸部材に中央部が巻装されていると共に、両端部側が前記ベース板の係合爪片及び回動軸部材のバネ押圧部に支持されている復帰バネと、ベース板の一側に設けられた固定軸に基端部が枢支されていると共に係合爪部がベース板の上面から突出する係合片用ロック片と、このロック片を係合方向に常時付勢することができるように前記固定軸に設けられた付勢バネとを備えたことを特徴とする。
【０００６】
上記構成に於いて、隣合わせ同士の箱体を連結する際に、前記回動軸部材を復帰バネのバネ力に抗して回動して係合片を所定の連結位置まで回動すると、係合片の回動中に該係合片に一旦押し下げられていたロック片が付勢バネのバネ力により復帰して係合片の被係合部に係合し、一方、ロック片の係合爪部を指で押し下げて係合状態を解消すると、係合片は復帰バネのバネ力により初期位置へと戻ることを特徴とする。
【０００７】
【発明の実施の形態】
図１乃至図１４を参照にして本発明の一実施例を説明する。Ｘは隣合わせの箱体同士を連結する連結具である。この連結具Ｘは、収納箱、整理箱、コンテナー等の箱体Ｙの天板隅角部に固定的に取り付けられる。
【０００８】
まず、本発明の特定要件（必須要件）を簡単に説明する。１は矩形状のベース板である。２は該ベース板１に所要空間３を有して上方に対向するカバー板である。４はベース板１とカバー板２とを一体的に連結する連結支柱である。５はベース板１及びカバー板２に垂直状態に軸支された回動軸部材である。６は回動軸部材５と共に回動するように前記所要空間３内に水平状態に配設された係合片である。７は前記回動軸部材５に中央部が巻装されていると共に、両端部側が前記ベース板１並びに回動軸部材５に突設したバネ押圧部に支持されている復帰バネである。８はベース板１の一側に設けられた固定軸９に基端部が枢支されていると共に、係合爪部がベース板の上面から突出する係合片用ロック片である。１０はロック片８を係合方向に常時付勢することができるように前記固定軸９に設けられた付勢バネである。次に、各部材を詳細に説明する。
【０００９】
「ベース板１」…ベース板１は金属で矩形状に形成されている。１１は一つの隅角部に形成された連結支柱４用の取付け孔である。１２，１２はこの取付け孔１１又は連結支柱４側の交差する二辺（縁部）の一部をそれぞれ下方に折り曲げて形成した固定軸９用の支持片である。１３は取付け孔１１側の隅角部寄りの部位に形成された回動軸部材５用の軸孔である。その他の構成に関しては後述する。
【００１０】
「カバー板２」…カバー板２も金属で形成されている。１５はベース板１の対向する矩形状のカバー部である。このカバー部１５の一つの隅角部には、図１の平面図で示すように、ベース板１と同様に連結支柱４用の取付け孔１６が形成されている。１７，１７はこの取付け孔１６又は連結支柱４側の交差する二辺（縁部）の一部にそれぞれ形成されたロック片押込み用の切欠部である。これらの切欠部１７，１７は、少なくとも指１本を入れることができるような所要の幅と長さを有している。
【００１１】
１８はベース板１の軸孔１３の上方に位置する回動軸部材５用の嵌合孔である。この嵌合孔１８は軸孔１３よりも大径である。１９，１９はカバー部１５に直交する側壁で、これらの側壁１９，１９は、前記切欠部１７，１７を有しない方の二辺（縁部）をそれぞれ下方に折り曲げることにより形成されている。２０，２０は側壁１９，１９の一端部にそれぞれ突出形成された取付け部である。取付け部２０，２０は図示しない固着具用のネジ孔２１，２１を有する。
【００１２】
「連結支柱４」…連結支柱４は連結具Ｘの一つの隅角部に前述した取付け孔１１，１６を介して設けられ、隣合わせの箱体Ｙ，Ｙに取り付けられた同一連結具Ｘ，Ｘの係合片６と係脱する係止ピンの機能を有する。なお、連結支柱４は、ベース板１とカバー板２とを強靭に連結する機能も有する。
【００１３】
「回動軸部材５」…図６に回動部材５、復帰バネ７及び固着具を示す。回動軸部材５は、ベース板１の隅角部寄りの部位に垂直状態に設けられた軸本体２２と、ベース板１を貫通した下端部に固定的に設けられ、かつ、ベース板１の下面に添設した復帰バネ７を支持するバネ受け板２３とから成る。
しかして、前記軸本体２２は、上面に溝（例えば水平溝）２４を有する偏平状頭部２５と、この頭部２５に連設する大径胴部２６と、この胴部２６に連設する小径脚部２７とから成り、前記脚部２７には下端面からメネジ穴２８が形成されている。
【００１４】
また前記バネ受け板２３は、任意の形状（例えば馬蹄形状）に形成されている。その中心部には固着具３０用の貫通小孔３１が設けられている。また周縁部の両サイドには左右１対のバネ押圧部３２，３２が突設されている。図７で示すように、バネ受け板２３は固着具３０を介して軸本体２２に水平状態に固着されている。
【００１５】
「係合片６」…係合片６は角軸孔又は楕円孔を介して回動軸部材５に嵌合している。係合片６は回動軸部材５を備えた軸孔を基準にしてやや扇に形成され、少なくともその一端部には、隣合わせの箱体Ｙの連結支柱４と係脱する被係合部３５が形成されている。本実施例の被係合部３５は、親指と人差し指とを多少開いたイメージを彷彿させるＵ字型状の切欠部で、幅広部分３６から対称的に突出する弧状両端部３７ａ，３７ｂにそれぞれ形成されている。
【００１６】
そして、前記幅広部分３６の適宜部位には、１対のロック片８，８とそれぞれ係脱する複数個の被係合窓３８ａ，３８ｂが形成されている。ここでは、左側の弧状両端部３７ａ側に横長状に形成された被係合窓３８ａを「第１被係合窓」とする（図４を基準）。一方、右側の弧状両端部３７ｂ側に縦長状に形成された被係合部３８ｂを「第２被係合部」とする。したがって、Ｘ軸方向の第１被係合窓３８ａとＹ軸方向の第２被係合部とは線上において交差する。
【００１７】
「復帰バネ７」…復帰バネ７は、図７で示すように回動軸部材５のバネ受け板２３の上面とベース板１の下面との間に設けられている。これにより、万一、地震時に回動軸部材５が押圧されても復帰バネ７が影響しないように工夫されている。
【００１８】
しかして、復帰バネ７の中央部７ａは、ベース板１の下面から突出する回動軸部材５の脚部２７に巻装されていると共に、両端部７ｂ，７ｃ側がベース板１に突出形成された１対の係合爪片４０，４０並びに回動軸部材５のバネ押圧部にそれぞれ支持されている。
【００１９】
本実施例では復帰バネ７は係合片６が時計方向又は反時計方向のいずれに回転した場合であってもバネ力が作用する。復帰バネ７の両端部７ｂ，７ｃは、ベース板１の係合爪片４０，４０にそれぞれ外拡状態に常時圧接している。係合爪片４０が係合方向へと回転した場合には回動軸部材５も一緒に回転するので、一方の端部７ｂ（７ｃ）は一つの係合爪片４０に支持され、他方の端部７ｃ（７ｂ）はバネ受け板２３のバネ押圧部３２に押されて移動する（弾性変形機能）。
【００２０】
一方、係合爪片４０がロック片８から係合を解除された場合には、移動した一方の端部７ｂ（７ｃ）は係合爪片４０に圧接する元の位置へと復帰する（弾性変形復帰機能）。
【００２１】
「係合片用ロック片８」…ロック片８は、本実施例ではベース板１の一辺と、この一辺に直交する他辺にそれぞれ形成された支持片１２，１２及び固定軸９，９を介して対称的に１対配設されている。ロック片８は、ベース板１の一辺（一側）に設けられた固定軸９に基端部が枢支されていると共に、鉤状係合爪部４５がベース板１の上面から常時突出している。
【００２２】
しかして、ロック片８の基端部寄りの上辺には、水平方向に細いバネ受け片４６が突設されている。このバネ受け片４６は前記支持片１２に形成した小窓４７に入り込み、ベース板１の下面と当接可能である。
【００２３】
「付勢バネ１０」…付勢バネ１０は、ロック片８を係合方向に常時付勢する。本実施例では中央部１０ａが固定軸９に巻装されていると共に、その一端部１０ｂはロック片８のバネ受け片４６の下面に支持されている。付勢バネ１０の他端部１０ｃは、ベース板１の連結支柱付近に形成されたバネ受け用小切欠部４８に支持されている。
【００２４】
上記構成に於いて、箱体Ｙの天板の隅角部に適宜に固定された連結具Ｘを介して隣合わせ同士の箱体Ｙ，Ｙを、左右又は／及び前後に連結する際に、回動軸部材５の頭部の水平溝２４に操作具（コイン，ドライバーなど）Ｃを嵌め、時計又は反時計方向に回転する。
【００２５】
そうすると、回動軸部材５が回転する。回動軸部材５が回転すると、回動軸部材５と一体の係合片６は、復帰バネ７のバネ力に抗して回動する。その時、復帰バネ７の一方の端部７ｂ（７ｃ）はバネ受け板２３のバネ押圧部３２に押されて移動する。したがって、復帰バネ７の一方の端部７ｂ（７ｃ）は、バネ力に抗して他端部に接近する。
【００２６】
ところで、係合片６は回転する途中に、ベース板１及びカバー板２から突出すると、その弧状両端部３７ａ（３７ｂ）側の内側弧状縁３９がロック片８の傾斜部分８ａに当接し、そのまま係合片６が係合方向に回転し続けると、係合片６の内側弧状縁３９がロック片８の傾斜部分８ａに摺接して該ロック片８を付勢バネ１０のバネ力に抗して押し下げる。
【００２７】
そして、係合片６が所定の連結位置まで回動すると、係合片６の回動中に該係合片に一旦押し下げられていたロック片８は、付勢バネ１０のバネ力により復帰して係合片８の被係合部３８ａ（３８ｂ）に係合する。
【００２８】
一方、ロック片８のロック状態を解除する場合には、カバー板２の切欠部１７に指先を入れるようにして鉤状の係合爪部４５を押込む。そうすると、ロック片８は固定軸９を支点に下方方向へと回転するので、前記係合爪部４５が係合片６の被係合窓３８から外れる。その結果、係合片６は復帰バネ７のバネ力により自動的に初期位置へと戻る。
【００２９】
【実施例】
収納箱、整理箱、コンテナー等の箱体を隣合わせに設置した場合に於いて、箱体の天板に取り付ける場合には、天板の隅角部等に適宜に固着される。天板の隅角部を一部切欠し、その切欠部分に本発明の連結具Ｘを固着具、溶着等の手段で固定する。又は連結具Ｘを天板の隅角部の下面に添設するように固着する。後者の場合には隅角部に回動軸部材５の軸本体２２の頭部２５が嵌合する嵌合孔を形成する。
【００３０】
また同一形態の箱体を隣合わせに並列して書類棚を作りたい場合には、箱体の天板の隅角部に連結具Ｘを複数個適宜に固定する。そうすると、連結具Ｘを介して左右又は／前後に同一の箱体を互いに連結することができる。
【００３１】
【発明の効果】
以上の説明から明らかなように、本発明にあっては、次に列挙するような効果がある。
（１）箱体の天板に固定することができる。ベース板とカバー板とが連結支柱で一体的に固定されているから、強靭である。
（２）隣合わせの箱体を、コイン等の操作具を介して簡単に連結することができる。
（３）ロック片の係合爪部が係合片の被係合窓に常時係合しているので、地震時に揺れが発生しても容易に両者の係合状態が解消しない。
（４）連結状態を解消する場合には、例えば指１本の操作で、いわゆるワンタッチで連結解除（係合解除）できる。また係合片が元の位置へ自動的に復帰する。
（５）請求項３に記載の発明に於いて、連結支柱は、ベース板とカバー板を連結する機能だけではなく、箱体同を並べた場合に対向する他方の連結具の係合片が係合する係合ピンとしての機能も発揮する。
（６）請求項４に記載の発明は、連結具のカバー板や回動軸部材に上方から強い力が作用しても、係合片用の復帰バネはベース板の下面側に設けられているので、障害率が少ない。
（７）請求項５に記載の発明は、一つの連結具で箱体を左右前後に連結することができる。
【図面の簡単な説明】
図１乃至図１４は本発明の一実施例を示す各説明図。
【図１】本発明を箱体の天板に取り付ける場合に於いて、平面からの説明図。
【図２】正面図。
【図３】左側面図。
【図４】図１に於いて、カバー板を一部切欠した場合に説明図。
【図５】底面図。
【図６】主要部を示す分解斜視図。
【図７】主要部を示す概略断面説明図。
【図８】係合片用ロック片と支持片との関係を示す概略説明図。
【図９】操作具で係合片を廻し始めた概略説明図。
【図１０】係合片とロック片との係合関係を示す概略説明図。
【図１１】隣り合った箱体の連結具の連結支柱に係合片が係合した状態を示す説明図。
【図１２】正面から見た場合に於いて、指でロック片を解除する場合の説明図。
【図１３】平面から見た場合に於いて、指でロック片を解除した場合の説明図。
【図１４】係合片を反対方向に廻した場合の説明図。
【符号の説明】
Ｘ…連結具、Ｙ…箱体、Ｃ…操作具、１…ベース板、２…カバー板、３…所要空間、４…連結支柱、５…回動軸部材、６…係合片、７…復帰バネ、８…係合片用ロック片、９…固定軸、１０…付勢バネ、１２…支持片、１５…カバー部、１７…切欠部、１９…側壁、２２…軸本体、２３…バネ受け板、２５…頭部、２６…胴部、２７…脚部、３０…固着具、３２…バネ押圧部、３５…被係合部、３６…幅広部分、３７ａ，３７ｂ…弧状両端部、３８ａ，３８ｂ…被係合窓、４０…係合爪片。
【図１】
2004262534.tif 000003
【図２】
2004262534.tif 000004
【図３】
2004262534.tif 000005
【図４】
2004262534.tif 000006
【図５】
2004262534.tif 000007
【図６】
2004262534.tif 000008
【図７】
2004262534.tif 000009
【図８】
2004262534.tif 000010
【図９】
2004262534.tif 000011
【図１０】
2004262534.tif 000012
【図１１】
2004262534.tif 000013
【図１２】
2004262534.tif 000014
【図１３】
2004262534.tif 000015
【図１４】
2004262534.tif 000016